(57)【要約】  【課題】表示領域の少ない携帯端末やデジタル家庭電化製品などの表示機器のディスプレイ上で閲覧した場合であっても、視認性・操作性を確保した電子雑誌を生成することを可能とする。  【解決手段】複数の雑誌を生成するための元情報それぞれを、テーマ単位で複数の区分情報として分割したものを記録する元情報分割記録部と、表示機器の表示領域に応じて、主要画像並びに関連画像の表示サイズ、および文字情報並びに文字列のフォントサイズをサイズ情報として制御し、背景画像上に、制御された対応情報に基づいて、主要画像と文字列を配置するメインページを作成する、メインページ作成部と、メインページ上で利用者によって、主要画像が選択された際に、選択された主要画像の関連画像と、該関連画像との対応情報を有する文字情報を表示させるための詳細情報ページを作成する、詳細情報ページ作成部とを備える。【選択図】図１
2014157401.tif 000002
【特許請求の範囲】
【請求項１】
紙媒体の雑誌を作成するための元情報を加工し、利用者の表示機器に表示するための電子雑誌を生成する電子雑誌生成システムにおいて、
複数の雑誌を生成するための元情報それぞれを、テーマ単位で複数の区分情報として分割したものを記録する元情報分割記録部と、
前記区分情報の各ページに含まれる、画像情報および文字情報を、前記ページ単位で抽出する情報抽出部と、
前記画像情報および前記文字情報に含まれる対象物の情報を解析し、同一対象物を有する前記画像情報の集合である画像情報群の中から、少なくとも１つ以上の前記紙媒体の雑誌において主要な画像情報を主要画像として選定し、前記画像情報群に含まれる残りの画像情報を前記主要画像に対応する関連画像として選定する画像選定部と、
前記画像選定部により解析された対象物の情報に基づいて、前記ページ単位で、前記対象物が同一である画像情報と文字情報とを関係するものとして対応付けた対応情報を制御する対応情報制御部と、
前記主要画像に対応する文字情報を前記対応情報に基づいて選択し、該選択された文字情報から見出し文字列を抽出する文字列抽出部と、
前記区分情報の背景を表す複数の背景画像を記録する背景画像記録部と、
前記表示機器の表示領域に応じて、前記主要画像並びに前記関連画像の表示サイズ、および前記文字情報並びに前記文字列のフォントサイズをサイズ情報として制御し、前記背景画像上に、前記制御された対応情報に基づいて、前記主要画像と前記文字列を配置するメインページを作成する、メインページ作成部と、
前記メインページ上で前記利用者によって、主要画像が選択された際に、前記選択された主要画像の関連画像と、該関連画像との前記対応情報を有する文字情報を表示させるための詳細情報ページを作成する、詳細情報ページ作成部とを備える電子雑誌生成システム。
【請求項２】
前記表示機器は、
少なくとも携帯端末、クライアント端末、デジタル家庭電化製品のいずれかであることを特徴とする請求項１記載の電子雑誌生成システム。
【請求項３】
前記電子雑誌生成システムは、更に、
外部サーバに記録された、前記抽出された画像情報もしくは文字情報に関係する前記対象物を示す第二の画像情報を前記対応情報に基づいて取得し、または、前記外部サーバに記録された、前記抽出された画像情報もしくは文字情報に関係する前記対象物を示す第二の文字情報を前記対応情報に基づいて取得する対象物情報取得部を備え、
前記対応情報制御部は、
前記第二の画像情報または前記第二の文字情報を取得した際に、前記対応情報の対応関係を、前記画像情報から前記第二の画像情報へと制御し、および／または、前記文字情報から前記第二の文字情報へと制御することを特徴とする請求項１または２記載の電子雑誌生成システム。
【請求項４】
前記電子雑誌生成システムは、更に、
所定のルールで、前記画像情報または第二の画像情報に関する広告を示す広告情報を挿入する広告挿入部を備えることを特徴とする請求項１から３いずれか１項記載の電子雑誌生成システム。
【請求項５】
前記電子雑誌生成システムは、更に、
前記区分情報の単位で利用者からの課金を受け付ける課金受付部を備えることを特徴とする請求項１から４いずれか１項記載の電子雑誌生成システム。
【請求項６】
前記電子雑誌生成システムは、更に、
前記利用者の過去の電子雑誌の閲覧状況に関する情報から、利用者の趣向を分析する趣向分析部と、
前記趣向分析部の分析結果に基づいて、前記利用者の趣向に合致する電子雑誌のページを推奨する推奨部とを備えることを特徴とする請求項１から５いずれか１項記載の電子雑誌生成システム。
【請求項７】
前記趣向分析部は、
前記利用者の前記過去の電子雑誌の閲覧時間、閲覧回数および購買履歴のうち少なくともいずれか１つを閲覧状況に関する情報として分析することを特徴とする請求項６記載の電子雑誌生成システム。
【請求項８】
前記対象物情報取得部は、
前記文字情報に含まれる画像情報に関する情報を解析することで、問い合わせを行う外部サーバを決定し、
更に、前記画像情報が有する対象物と類似する対象物を有する画像情報を解析することで、第二の画像情報または第二の文字情報の候補を抽出することを特徴とする請求項１から６いずれか１項記載の電子雑誌生成システム。
【請求項９】
紙媒体の雑誌を作成するための元情報を加工し、利用者の表示機器に表示するための電子雑誌を生成する電子雑誌生成方法において、
コンピュータが、
複数の雑誌を生成するための元情報それぞれを、テーマ単位で複数の区分情報として分割したものを記録するステップと、
前記区分情報の各ページに含まれる、画像情報および文字情報を、前記ページ単位で抽出するステップと、
前記画像情報および前記文字情報に含まれる対象物の情報を解析し、同一対象物を有する前記画像情報の集合である画像情報群の中から、少なくとも１つ以上の前記紙媒体の雑誌において主要な画像情報を主要画像として選定し、前記画像情報群に含まれる残りの画像情報を前記主要画像に対応する関連画像として選定するステップと、
前記画像選定部により解析された対象物の情報に基づいて、前記ページ単位で、前記対象物が同一である画像情報と文字情報とを関係するものとして対応付けた対応情報を制御するステップと、
前記主要画像に対応する文字情報を前記対応情報に基づいて選択し、該選択された文字情報から見出し文字列を抽出するステップと、
前記区分情報の背景を表す複数の背景画像を記録するステップと、
前記表示機器の表示領域に応じて、前記主要画像並びに前記関連画像の表示サイズ、および前記文字情報並びに前記文字列のフォントサイズをサイズ情報として制御し、前記背景画像上に、前記制御された対応情報に基づいて、前記主要画像と前記文字列を配置するメインページを作成するステップと、
前記メインページ上で前記利用者によって、主要画像が選択された際に、前記選択された主要画像の関連画像と、該関連画像との前記対応情報を有する文字情報を表示させるための詳細情報ページを作成するステップとを実現する電子雑誌生成方法。
【請求項１０】
紙媒体の雑誌を作成するための元情報を加工し、利用者の表示機器に表示するための電子雑誌を生成する電子雑誌生成プログラムにおいて、
コンピュータに、
複数の雑誌を生成するための元情報それぞれを、テーマ単位で複数の区分情報として分割したものを記録する機能と、
前記区分情報の各ページに含まれる、画像情報および文字情報を、前記ページ単位で抽出する機能と、
前記画像情報および前記文字情報に含まれる対象物の情報を解析し、同一対象物を有する前記画像情報の集合である画像情報群の中から、少なくとも１つ以上の前記紙媒体の雑誌において主要な画像情報を主要画像として選定し、前記画像情報群に含まれる残りの画像情報を前記主要画像に対応する関連画像として選定する機能と、
前記画像選定部により解析された対象物の情報に基づいて、前記ページ単位で、前記対象物が同一である画像情報と文字情報とを関係するものとして対応付けた対応情報を制御する機能と、
前記主要画像に対応する文字情報を前記対応情報に基づいて選択し、該選択された文字情報から見出し文字列を抽出する機能と、
前記区分情報の背景を表す複数の背景画像を記録する機能と、
前記表示機器の表示領域に応じて、前記主要画像並びに前記関連画像の表示サイズ、および前記文字情報並びに前記文字列のフォントサイズをサイズ情報として制御し、前記背景画像上に、前記制御された対応情報に基づいて、前記主要画像と前記文字列を配置する、メインページを作成する機能と、
前記メインページ上で前記利用者によって、主要画像が選択された際に、前記選択された主要画像の関連画像と、該関連画像との前記対応情報を有する文字情報を表示させるための、詳細情報ページを作成する機能とを実現させる電子雑誌生成プログラム。
【発明の詳細な説明】
【技術分野】
【０００１】
本発明は、電子雑誌生成システムおよび電子雑誌生成方法並びに電子雑誌生成プログラムに関するものであって、特に表示機器に表示するための電子雑誌を生成するための電子雑誌生成システムおよび電子雑誌生成方法並びに電子雑誌生成プログラム関するものである。
【背景技術】
【０００２】
近年、スマートフォンやタブレット型コンピュータなどの携帯端末やデジタル家庭電化製品等の表示機器が普及している。これに伴い、携帯端末等の表示機器を用いて電子文書を閲覧するサービスが提供されている。しかし、従来の電子文書を生成するシステムは、雑誌等の紙媒体の書籍を電子雑誌へと変換した場合、携帯端末の表示領域に合わせて解像度を下げるものであった。また、従来の電子雑誌生成システムには、小説などの文字を表す電子雑誌の場合においては、ディスプレイのサイズに合わせて、文字のフォントサイズを変更することで、視認性・操作性を確保していたものもあった。
【０００３】
特許文献１には、携帯端末のような表示領域の小さなディスプレイ上でも、判読が容易で、操作性がよい目次ページを編集するための技術について開示されている。この技術として、電子文書についての文書データを取得し、目次を構成する目次項目ごとに、目次の要約を作成するために必要な属性を取得し、所定の並び替えルールに従って、目次項目の配列順位を決定し、端末の表示装置にかかる属性に基づいたレイアウトルールに基づいて目次項目の属性を変更することが記載されている。
【０００４】
特許文献２には、電子図書の表示箇所と表示順を自動または半自動で決定する技術について開示されている。この技術として、コンテンツの解析結果に応じて得られた視線の停止位置と視線の移動順の情報であるアンカーポイント情報と、アンカーポイントごとのコンテンツの停止時間を示す機種に応じたシナリオと、機種に応じた再生コンテンツとを端末に送信することが記載されている。
【先行技術文献】
【特許文献】
【０００５】
【特許文献１】特開２０１２−１４１７０２号公報
【特許文献２】特開２０１２−３８２８６号公報
【発明の概要】
【発明が解決しようとする課題】
【０００６】
しかし、特許文献１および特許文献２に開示されているシステムでは、サイズが異なる画像や写真、イラストを多用している雑誌から電子雑誌を生成する場合、一律の拡大、縮小ができず、表示領域の少ない携帯端末のようなディスプレイ上で閲覧した場合、視認性・操作性を確保するのが困難であるという問題があった。
【０００７】
また、特許文献１および特許文献２に開示されているシステムでは、１つの紙媒体単位で処理を行うため、例えば同一テーマ単位で紙媒体を編集することができなかった。
【０００８】
そこで、本発明は、上記事情に鑑み、サイズが異なる画像や写真、イラストを多用している雑誌を、表示領域の少ない携帯端末やデジタル家庭電化製品などの表示機器のディスプレイ上で閲覧した場合であっても、視認性・操作性を確保した電子雑誌を生成することを可能とし、紙媒体の雑誌をテーマ単位で編集し電子雑誌を生成することを可能とする電子雑誌生成システムおよび電子雑誌生成方法並びに電子雑誌生成プログラムを提供することを目的とするものである。
【課題を解決するための手段】
【０００９】
本発明に係る電子雑誌生成システムは、紙媒体の雑誌を作成するための元情報を加工し、利用者の表示機器に表示するための電子雑誌を生成する電子雑誌生成システムにおいて、複数の雑誌を生成するための元情報それぞれを、テーマ単位で複数の区分情報として分割したものを記録する元情報分割記録部と、区分情報の各ページに含まれる、画像情報および文字情報を、ページ単位で抽出する情報抽出部と、画像情報および文字情報に含まれる対象物の情報を解析し、同一対象物を有する画像情報の集合である画像情報群の中から、少なくとも１以上の紙媒体の雑誌において主要な画像情報を主要画像として選定し、画像情報群に含まれる残りの画像情報を主要画像に対応する関連画像として選定する画像選定部と、画像選定部により解析された対象物の情報に基づいて、ページ単位で、対象物が同一である画像情報と文字情報とを関係するものとして対応付けた対応情報を制御する対応制御部と、主要画像に対応する文字情報を対応情報に基づいて選択し、該選択された文字情報から見出し文字列を抽出する文字列抽出部と、区分情報の背景を表す複数の背景画像を記録する背景画像記録部と、表示機器の表示領域に応じて、主要画像並びに関連画像の表示サイズ、および文字情報並びに文字列のフォントサイズをサイズ情報として制御し、背景画像上に、制御された対応情報に基づいて、主要画像と文字列を配置するメインページを作成する、メインページ作成部と、メインページ上で利用者によって、主要画像が選択された際に、選択された主要画像の関連画像と、該関連画像との対応情報を有する文字情報を表示させるための詳細情報ページを作成する、詳細情報ページ作成部とを備える。
【００１０】
また、本発明にかかる電子雑誌生成システムは、さらに、外部サーバに記録された、抽出された画像情報もしくは文字情報に関係する対象物を示す第二の画像情報を対応情報に基づいて取得し、または、外部サーバに記録された、抽出された画像情報もしくは文字情報に関係する対象物を示す第二の文字情報を対応情報に基づいて取得する対象物情報取得部を備え、対応制御部は、第二の画像情報または第二の文字情報を取得した際に、対応情報の対応関係を、画像情報から第二の画像情報へと制御し、および／または、文字情報から第二の文字情報へと制御するものとしてもよい。
【００１１】
「電子雑誌」はデジタル化された出版物をいう。ダウンロード可能なデジタルコンテンツやＷＥＢページのコンテンツのことを指してもよい。
【００１２】
「表示機器」は、電子雑誌を表示するための機能を有した電子機器をいう。表示機器は、少なくとも携帯端末、クライアント端末、デジタル家庭電化製品のいずれかであってもよい。
【００１３】
「紙媒体の雑誌」は紙で生成された出版物をいう。定期刊行物や、写真集等を含んでもよい。
【００１４】
「元情報」は、雑誌や写真集等の紙媒体を生成するための元となる電子データをいう。原稿となるテキストデータや挿絵となる画像情報を含むものとしてもよい。
【００１５】
「テーマ」は、雑誌や写真集等の紙媒体の内容の区切りをいう。具体的には、テーマは章立てや特集を指すものとしてもよい。
【００１６】
「区分情報」は、元情報をテーマ単位で区切ったものをいう。区分情報は、複数のページから構成されるものとしてもよい。
【００１７】
「元情報分割記録部」は、所定の単位で分割された元情報を記録するものをいう。元情報分割記録部は、区分情報単位で分割された元情報を記録するものとしてもよい。
【００１８】
「画像情報」は、写真や絵等の画像のデータをいう。具体的には、画像情報は、人物や商品等の対象物が写された画像のデータを指してもよい。
【００１９】
「文字情報」は、元情報に含まれる文章や見出し文字列等の文字のデータをいう。例えば、文字情報は、画像情報についての説明文を含むものとしてもよい。
【００２０】
「情報抽出部」は、区分情報から所定の情報を抽出するものをいう。情報抽出部は、区分情報に含まれる各ページから、画像情報および文字情報を抽出するものとしてもよい。
【００２１】
「画像選定部」は、画像情報を解析し、主要画像および関連画像を選定するものをいう。例えば、画像選定部は、画像情報および文字情報に含まれる対象物の情報を解析するものとしてもよい。また、同一対象物を含む画像の中から主要画像を選定し、残りの画像情報を関連画像としてもよい。例えば、画像選定部は、雑誌で使われている商品を写した写真から、バッグを写した写真を、同一対象物を写した写真として扱うものとしてもよい。その際に、画像選定部は、その雑誌の特集ページで主要なものとして扱われていた、ブランドＡおよびブランドＢのバッグを主要画像とし、残りのバッグの写真を関連画像として選定してもよい。
【００２２】
「対象物」は、画像情報または文字情報において記述の対象となっているものをいう。先ほどの例では、画像情報の対象物はバッグであるとしてもよい。また、文字情報における対象物は、その文字情報で説明する対象となっているものを指してもよい。具体的には、対象物は、商品、モデル、風景等であってもよい。
【００２３】
「対応制御部」は、同一対象物に関する画像情報と文字情報との対応関係を制御するものをいう。また、対応制御部は、対象物情報取得部が第二の画像情報または第二の文字情報を取得した際に、対応情報を書き換えるものとしてもよい。具体的には、対象物Ａについての画像情報Ａと文字情報Ａが対応関係を有していた場合を例に説明する。対象物Ａについて、第二の画像情報Ａを外部サーバから取得した際に、第二の画像情報Ａと文字情報Ａとが対応関係をもつように対応情報を書き換えて制御する。
【００２４】
「対応情報」は、画像情報と文字情報との対応関係を示すものをいう。具体的には、画像選定部によって解析された対象物が同一である画像情報と文字情報は対応関係を有するとして、データベース上で、対応情報によって紐づけられて管理されるものとしてもよい。また、対応情報は、画像情報（または第二の画像情報）と文字情報（または第二の文字情報）を結び付けて電子雑誌を作成できるよう紐づけるものとしてもよい。例えば、所定の画像情報と対応関係を有する文字情報は、該画像情報と同一箇所に表示するとしてもよい。
【００２５】
「文字列抽出部」は、文字情報から所定の文字列を抽出するものをいう。文字列抽出部は、文字情報から見出しに関する文字列を抽出するものとしてもよい。
【００２６】
「背景画像記録部」は、背景画像を記録するものをいう。背景画像記録部はデータベースとしてもよい。
【００２７】
「背景画像」は、電子雑誌の背景となるデータをいう。背景画像は、ページごとに、紙媒体の背景と類似するように、元データの背景画像の素材を引用して作成されたものを指してもよい。電子雑誌生成システムは、電子雑誌を生成する際に、背景画像上に、画像情報や文字情報を配置するものとしてもよい。
【００２８】
「メインページ作成部」は、電子雑誌のメインページを作成するものをいう。メインページ作成部は、背景画像上に、主要画像と主要画像との対応情報を有する文字情報から抽出した文字列を配置してメインページを作成するものとしてもよい。また、メインページ作成部は、表示機器の表示領域に応じて、主要画像のサイズおよび文字列のフォントサイズを最適化してメインページを作成するものとしてもよい。
【００２９】
「メインページ」は、紙媒体の雑誌で主要な画像として扱われていた画像で構成されたページをいう。メインページには、主要画像と主要画像についての文字列が表示されるものとしてもよい。また、メインページ上の主要画像は詳細情報ページへと遷移するリンクを含むものとしてもよい。
【００３０】
「詳細情報ページ」は、関連画像が表示されるページをいう。利用者はメインページの主要画像を選択することで詳細情報ページを表示させることができるものとしてもよい。
【００３１】
「詳細情報ページ作成部」は、詳細情報ページを作成するものをいう。詳細情報ページ作成部は、関連画像と関連画像との対応情報を有する文字情報によって詳細情報ページを作成するものとしてもよい。
【００３２】
「対象物情報取得部」は、外部サーバから対象物に関する情報を取得するものをいう。第二の画像情報および第二の文字情報を外部サーバから取得するものとしてもよい。
【００３３】
「外部サーバ」は、本発明に係る電子雑誌生成システムに含まれない装置をいう。外部サーバは、ネット通販等のＥＣ（Ｅｌｅｃｔｒｏｎｉｃ  ｃｏｍｍｅｒｃｅ：電子商取引）サイトに含まれるものであってもよい。また、外部サーバ上には、ＥＣサイトの商品に関する画像情報が記録されているものとしてもよい。
【００３４】
「第二の画像情報」は、画像情報と同一の対象物に関する画像をいう。第二の画像情報は、商品等の対象物が販売促進用に写された画像をいってもよい。具体的には、対象物が映えるように背景等が考慮された画像を指してもよい。
【００３５】
「第二の文字情報」は、文字情報と同一の対象物に関する文字情報をいう。第二の文字情報は、商品等の対象物を販売促進用に説明した広告文をいってもよい。
【００３６】
また、対象物情報取得部は、文字情報に含まれる画像情報に関する情報を解析することで、問い合わせを行う外部サーバを決定し、更に、画像情報と類似する画像を解析することで、第二の画像情報または第二の文字情報の抽出するものとしてもよい。例えば、文字情報に含まれる、画像情報のブランド名を解析し、該ブランドを取り扱うＥＣサイトを特定し、問い合わせを行うものとしてもよい。その際、画像情報の特徴から、商品の候補画像を抽出するものとしてもよい。
【００３７】
また、本発明に係る電子雑誌生成システムは、更に、所定のルールで、画像情報に関する広告を示す広告情報を挿入する広告挿入部を備えてもよい。
【００３８】
「広告挿入部」は、電子雑誌に広告情報を挿入するものをいう。広告情報は画像情報または第二の画像情報に関するものであってもよい。広告挿入部は、所定のルールで、広告情報を電子雑誌に挿入する。
【００３９】
また、電子雑誌生成システムは、更に、区分情報の単位で利用者からの課金を受け付ける課金受付部を備えてもよい。
【００４０】
「課金受付部」は、利用者からの電子雑誌の購入を受け付けるものをいう。課金受付部は、電子雑誌を区分情報単位で購入を受け付けるものとしてもよい。例えば、課金受付部は、利用者に区分情報のある１ページをサムネイルとして利用者に提示し、該サムネイルを見て利用者は購入したい区分情報を決定するものとしてもよい。
【００４１】
また、本発明に係る電子雑誌生成システムは、更に、利用者の過去の電子雑誌の閲覧状況に関する情報から、利用者の趣向を分析する趣向分析部と、趣向分析部の分析結果に基づいて、利用者の趣向に合致する電子雑誌のページを推奨する推奨部とを備えてもよい。
【００４２】
「趣向分析部」は、利用者の趣向を分析するものをいう。また、趣向分析部は、利用者の過去の電子雑誌の閲覧時間、閲覧回数および購入履歴のうち少なくともいずれか１つを閲覧状況として分析してもよい。具体的には、利用者が閲覧したブログやＷｅｂサイト、他の電子雑誌の閲覧状況を分析するものとしてもよい。
【００４３】
「推奨部」は、趣向分析部の分析結果に基づいて、電子雑誌を利用者に対して推奨するものをいう。他の電子雑誌についての閲覧状況の分析結果から、類似の電子雑誌を推奨するものとしてもよい。
【００４４】
また、本発明に係る電子雑誌生成方法は、紙媒体の雑誌を作成するための元情報を加工し、利用者の表示機器に表示するための電子雑誌を生成する電子雑誌生成方法において、コンピュータが、複数の雑誌を生成するための元情報それぞれを、テーマ単位で複数の区分情報として分割したものを記録するステップと、区分情報の各ページに含まれる、画像情報および文字情報を、ページ単位で抽出するステップと、画像情報および文字情報に含まれる対象物の情報を解析し、同一対象物を有する画像情報の集合である画像情報群の中から、少なくとも１以上の紙媒体の雑誌において主要な画像情報を主要画像として選定し、画像情報群に含まれる残りの画像情報を主要画像に対応する関連画像として選定するステップと、画像選定部により解析された対象物の情報に基づいて、ページ単位で、対象物が同一である画像情報と文字情報とを関係するものとして対応付けた対応情報を制御するステップと、主要画像に対応する文字情報を対応情報に基づいて選択し、該選択された文字情報から見出し文字列を抽出するステップと、区分情報の背景を表す複数の背景画像を記録するステップと、表示機器の表示領域に応じて、主要画像並びに前記関連画像の表示サイズ、および文字情報並びに文字列のフォントサイズをサイズ情報として制御し、背景画像上に、制御された対応情報に基づいて、主要画像と前記文字列を配置するメインページを作成するステップと、メインページ上で利用者によって、主要画像が選択された際に、選択された主要画像の関連画像と、該関連画像との対応情報を有する文字情報を表示させるための詳細情報ページを作成するステップとを実現する。
【００４５】
また、本発明に係る電子雑誌生成プログラムは、紙媒体の雑誌を作成するための元情報を加工し、利用者の表示機器に表示するための電子雑誌を生成する電子雑誌生成プログラムにおいて、コンピュータに、複数の雑誌を生成するための元情報それぞれを、テーマ単位で複数の区分情報として分割したものを記録する機能と、区分情報の各ページに含まれる、画像情報および文字情報を、前記ページ単位で抽出する機能と、画像情報および文字情報に含まれる対象物の情報を解析し、同一対象物を有する画像情報の集合である画像情報群の中から、少なくとも１以上の紙媒体の雑誌において主要な画像情報を主要画像として選定し、画像情報群に含まれる残りの画像情報を主要画像に対応する関連画像として選定する機能と、画像選定部により解析された対象物の情報に基づいて、ページ単位で、対象物が同一である画像情報と文字情報とを関係するものとして対応付けた対応情報を制御する機能と、主要画像に対応する文字情報を対応情報に基づいて選択し、該選択された文字情報から見出し文字列を抽出する機能と、区分情報の背景を表す複数の背景画像を記録する機能と、表示機器の表示領域に応じて、主要画像並びに前記関連画像の表示サイズ、および文字情報並びに文字列のフォントサイズをサイズ情報として制御し、背景画像上に、制御された対応情報に基づいて、主要画像と文字列を配置する、メインページを作成する機能と、メインページ上で利用者によって、主要画像が選択された際に、選択された主要画像の関連画像と、該関連画像との対応情報を有する文字情報を表示させるための、詳細情報ページを作成する機能とを実現させる。
【発明の効果】
【００４６】
本発明に係る電子雑誌生成システムは、複数の雑誌を生成するための元情報それぞれを、テーマ単位で複数の区分情報として分割したものを記録する元情報分割記録部と、表示機器の表示領域に応じて、主要画像並びに関連画像の表示サイズ、および文字情報並びに文字列のフォントサイズをサイズ情報として制御し、背景画像上に、制御された対応情報に基づいて、主要画像と文字列を配置するメインページを作成する、メインページ作成部と、メインページ上で利用者によって、主要画像が選択された際に、選択された主要画像の関連画像と、該関連画像との対応情報を有する文字情報を表示させるための詳細情報ページを作成する、詳細情報ページ作成部とを備える際には、サイズが異なる画像や写真、イラストを多用している雑誌を、表示領域の少ない携帯端末やデジタル家庭電化製品などのような表示機器のディスプレイ上で閲覧した場合であっても、視認性・操作性を確保した電子雑誌を生成することが可能となり、また、紙媒体の雑誌をテーマ単位で編集し電子雑誌を生成することが可能となる。
【００４７】
また、本発明にかかる電子雑誌生成システムは、さらに、外部サーバに記録された、抽出された画像情報もしくは文字情報に関係する対象物を示す第二の画像情報を対応情報に基づいて取得し、または、外部サーバに記録された、抽出された画像情報もしくは文字情報に関係する対象物を示す第二の文字情報を対応情報に基づいて取得する対象物情報取得部を備え、対応制御部は、第二の画像情報または第二の文字情報を取得した際に、対応情報の対応関係を、画像情報から第二の画像情報へと制御し、および／または、文字情報から第二の文字情報へと制御するものである際においては、元情報に含まれる画像情報が余白部分や対象物以外の領域を含んでいる際には、外部サーバから余白部分や対象物以外の領域を含まない画像情報を取得して、差し替えて表示することが可能となり、また、元情報に含まれる文字情報を、外部サーバから取得したより販売促進効果の高い文字情報へ差し替えることが可能となる。
【００４８】
また、本発明に係る電子雑誌生成システムが、更に、所定のルールで、画像情報または第二の画像情報に関する広告を示す広告情報を挿入する広告挿入部を備える際においては、利用者の関心が高い広告情報を挿入することができ、広告の効果を高めることが可能となる。
【００４９】
また、電子雑誌生成システムは、更に、区分情報の単位で利用者からの課金を受け付ける課金受付部を備える際においては、区分情報単位で、利用者からの電子雑誌の購入を受け付けることが可能となる。
【００５０】
また、本発明に係る電子雑誌生成システムが、更に、利用者の過去の電子雑誌の閲覧状況に関する情報から、利用者の趣向を分析する趣向分析部と、趣向分析部の分析結果に基づいて、利用者の趣向に合致する電子雑誌のページを推奨する推奨部とを備える際においては、利用者の電子雑誌の閲覧状況から、趣向にあった電子雑誌をページ単位で推奨することが可能となる。
【００５１】
また、趣向分析部が、利用者の過去の電子雑誌の閲覧時間、閲覧回数および購入履歴のうち少なくともいずれか１つを閲覧状況に関する情報として分析するものである際においては、閲覧時間、閲覧回数および購入履歴に基づいて、利用者の趣向を分析することが可能となる。
【００５２】
また、対象物情報取得部が、文字情報に含まれる画像情報に関する情報を解析することで、問い合わせを行う外部サーバを決定し、更に、画像情報と類似する画像を解析することで、第二の画像情報または第二の文字情報の候補を抽出する際においては、例えば、文字情報に含まれる、画像情報のブランド名等の名称を解析し、該ブランドを取り扱う外部サーバ（例えばＥＣサイト等）を特定し、問い合わせを行うことが可能となり、画像情報の特徴から、商品の候補画像を抽出することが可能となる。
【図面の簡単な説明】
【００５３】
【図１】本発明の第１の実施形態に係る電子雑誌生成システムのブロック図
【図２】本発明の第１の実施形態に係る処理を示すフローチャート
【図３】本発明の第１の実施形態に係る電子雑誌生成システムの生成するメインページを模式的に表した図
【図４】本発明の第１の実施形態に係る電子雑誌生成システムの生成する電子雑誌のイメージ図
【図５】本発明の第１の実施形態に係る電子雑誌生成システムの生成する詳細情報ページを模式的に表した図
【図６】本発明の第２の実施形態に係る処理の概略を示す図
【図７】本発明の第２の実施形態に係る電子雑誌生成システムのブロック図
【図８】本発明の第２の実施形態に係る第二の画像情報取得処理を示すフローチャート
【図９】本発明の第２の実施形態に係る外部サーバへの問い合わせ処理フローを示すチャート
【図１０】本発明の第２の実施形態に係る趣向分析部および推奨部の処理フローを示すチャート
【図１１】本発明の第３の実施形態に係る電子雑誌生成システムのブロック図
【図１２】本発明の第３の実施形態に係る広告挿入部の処理フローを示すチャート
【発明を実施するための形態】
【００５４】
［第１の実施形態］
以下、本発明の第１の実施の形態を図１乃至図５を用いて説明する。
【００５５】
本実施形態における電子雑誌生成システム１００は、複数の雑誌を生成するための元情報それぞれを、テーマ単位で複数の区分情報として分割したものを記録する元情報分割記録部１０１と、区分情報の各ページに含まれる、画像情報および文字情報を、ページ単位で抽出する情報抽出部１０２と、画像情報および文字情報に含まれる対象物の情報を解析し、同一対象物を有する画像情報の集合である画像情報群の中から、少なくとも１以上の紙媒体の雑誌において主要な画像情報を主要画像として選定し、画像情報群に含まれる残りの画像情報を主要画像に対応する関連画像として選定する画像選定部１０３と、画像選定部１０３により解析された対象物の情報に基づいて、ページ単位で、対象物が同一である画像情報と文字情報とを関係するものとして対応付けた対応情報を制御する対応制御部１０４と、主要画像に対応する文字情報を対応情報に基づいて選択し、該選択された文字情報から見出し文字列を抽出する文字列抽出部１０５と、区分情報の背景を表す複数の背景画像を記録する背景画像記録部１０６と、表示機器２０１の表示領域に応じて、主要画像並びに関連画像の表示サイズ、および文字情報並びに文字列のフォントサイズをサイズ情報として制御し、背景画像上に、制御された対応情報に基づいて、主要画像と文字列を配置するメインページを作成する、メインページ作成部１０７と、メインページ上で利用者によって、主要画像が選択された際に、選択された主要画像の関連画像と、該関連画像との対応情報を有する文字情報を表示させるための詳細情報ページを作成する、詳細情報ページ作成部１０８とを備える。
【００５６】
また、電子雑誌生成システム１００は、更に、区分情報の単位で利用者からの課金を受け付ける課金受付部１０９を備えてもよい。
【００５７】
電子雑誌生成システム１００は、コンピュータまたはサーバを備え、各種入力に基づきＣＰＵがＲＡＭやハードディスクに記録されたプログラムを実行することで、各種機能部として動作する。該プログラムは、ＣＤ−ＲＯＭ等の記憶媒体に記憶され、もしくはインターネット等のネットワーク８００を介して配布され、コンピュータにインストールされるものであってもよい。
【００５８】
電子雑誌生成システム１００は、複数の既存の雑誌（紙媒体）から、テーマ単位でバラ売りを行えるように、電子雑誌を生成する。テーマは、雑誌や写真集等の紙媒体の内容の区切りをいう。具体的には、テーマは章立てや特集を指す。
【００５９】
電子雑誌を生成するシステムが、既存の雑誌から電子雑誌を生成する場合には、一般的に、元情報を用いる。元情報は、雑誌や写真集等の紙媒体を生成するための元となる電子データをいう。例えば、原稿となるテキストデータや写真などの画像データを指す。
【００６０】
通常、雑誌はＡ４サイズで作成される。そのため、紙媒体の雑誌の１ページに表示されていたものを、携帯端末やデジタル家庭電化製品などのような表示機器２０１のような表示領域の小さな端末に表示した場合、視認性を確保することができない。一方で、雑誌の１ページには関連のある画像が表示される場合が多く、画像を１枚ずつ別々のページに表示してしまうと、雑誌の編集者の編集意図を損なってしまうおそれがある。そのため、電子雑誌生成システム１００では、そのページで主要な画像である主要画像を選定し、各ページには、主要画像とその説明用の文字情報のみを表示し、関連ある画像は、主要画像を選択することで、詳細情報ページ上で確認できる構成とし、視認性の高い電子雑誌を生成する。
【００６１】
電子雑誌生成システム１００では、上述した処理を雑誌の特集単位で行うため、作成した電子雑誌を、特集単位で購入の対象とすることが可能である。
【００６２】
図１を用いて電子雑誌生成システム１００の各構成要素の機能について説明する。図１は本実施形態における電子雑誌生成システム１００のブロック図を示している。
【００６３】
本実施形態において電子雑誌生成システム１００は、元情報分割記録部１０１と、情報抽出部１０２と、画像選定部１０３と、対応制御部１０４と、文字列抽出部１０５と、背景画像記録部１０６と、メインページ作成部１０７と、詳細情報ページ作成部１０８と、課金受付部１０９とを備えている。また、電子雑誌生成システム１００は有線または無線のネットワーク８００を介して表示機器２０１と接続している。
【００６４】
表示機器２０１は、タッチパネル機能付きのディスプレイを有した携帯電話をいう。タブレット型ＰＣ、ＰＤＡ等のことを指してもよい。また、携帯端末、クライアント端末、デジタル家庭電化製品のいずれかであってもよい。
【００６５】
元情報分割記録部１０１は、所定の単位で分割された元情報を記録する。元情報分割記録部１０１は、区分情報単位で分割された元情報を記録するものとしてもよい。
【００６６】
情報抽出部１０２は、区分情報から所定の情報を抽出する。情報抽出部１０２は、区分情報に含まれる各ページから、画像情報および文字情報を抽出するものとしてもよい。
【００６７】
画像選定部１０３は、画像情報を解析し、主要画像および関連画像を選定する。例えば、画像選定部１０３は、画像情報および文字情報に含まれる対象物の情報を解析するものとしてもよい。また、同一対象物を含む画像の中から主要画像を選定し、残りの画像情報を関連画像としてもよい。
【００６８】
対応制御部１０４は、同一対象物に関する画像情報と文字情報との対応関係を制御するものをいう。
【００６９】
文字列抽出部１０５は、文字情報から所定の文字列を抽出するものをいう。文字列抽出部１０５は、文字情報から見出しに関する文字列を抽出するものとしてもよい。
【００７０】
背景画像記録部１０６は、背景画像を記録する。背景画像記録部１０６はデータベースとしてもよい。
【００７１】
メインページ作成部１０７は、電子雑誌のメインページを作成する。メインページ作成部１０７は、背景画像上に、主要画像と主要画像との対応情報を有する文字情報から抽出した文字列を配置してメインページを作成するものとしてもよい。また、メインページ作成部１０７は、表示機器２０１の表示領域に応じて、主要画像のサイズおよび文字列のフォントサイズを最適化してメインページを作成するものとしてもよい。また、メインページ作成部１０７は、文字情報および文字列のフォントのスタイル情報や色情報を適宜変換することも可能である。
【００７２】
詳細情報ページ作成部１０８は、詳細情報ページを作成するものをいう。詳細情報ページ作成部１０８は、関連画像と関連画像との対応情報を有する文字情報によって詳細情報ページを作成するものとしてもよい。
【００７３】
課金受付部１０９は、利用者からの電子雑誌の購入を受け付ける。課金受付部１０９は、電子雑誌を区分情報単位で購入を受け付けることが可能である。例えば、課金受付部１０９は、利用者に区分情報のある１ページをサムネイルとして利用者に提示し、該サムネイルを見て利用者は購入したい区分情報を決定するものとしてもよい。
【００７４】
次に、図２を用いて電子雑誌生成システム１００の処理フローについて説明する。
【００７５】
まず、電子雑誌生成システム１００に、複数の雑誌の元となった元情報が与えられる。元情報は雑誌単位で受け付けるものとしてもよいし、複数の雑誌の元情報を１つの電子データとして受け付けるものとしてもよい。
【００７６】
元情報分割記録部１０１は、受け付けた元情報をテーマ単位で区切った区分情報を記録する（ＳＴＥＰ０１１）。通常、雑誌は複数の特集（テーマ）で構成されている。電子雑誌生成システム１００では、雑誌をテーマ単位で購入するため、まず受け付けた元情報をテーマ単位で区切った区分情報として扱い、記録する。区分情報は複数のページから構成されている。
【００７７】
次に、情報抽出部１０２が区分情報に含まれるページ単位で、画像情報および文字情報を抽出する（ＳＴＥＰ０１２）。画像情報は、写真や絵等の画像のデータをいう。具体的には、画像情報は、人物や商品等の対象物が写された画像のデータを指してもよい。文字情報は、元情報に含まれる文章や見出し文字列等の文字のデータをいう。例えば、文字情報は、画像情報についての説明文を含むものとしてもよい。
【００７８】
情報抽出部１０２が抽出した画像情報および文字情報が有する対象物を、画像選定部１０３は、解析し、主要画像と関連画像を選定する（ＳＴＥＰ０１３）。対象物は、画像情報または文字情報において記述の対象となっているものをいう。例えば、画像情報が写真である場合、対象物はその被写体となっているものをいう。また、文字情報における対象物は、その文字情報で説明する対象となっているものを指してもよい。具体的には、対象物は、商品、モデル、風景等であってもよい。
【００７９】
例えば、ある区分情報でバッグの特集が組まれていたとする。このとき、画像選定部１０３は、雑誌で使われている商品を写した写真から、バッグを写した写真を、同一対象物を写した写真として扱う。その際に、画像選定部１０３は、その雑誌の特集ページで主要なものとして扱われていた、ブランドＡおよびブランドＢのバッグを主要画像とし、残りのバッグの写真を関連画像として選定する。
【００８０】
次に、対応制御部１０４が、対応情報を制御する（ＳＴＥＰ０１４）。対応情報は、画像情報と文字情報との対応関係を示すものをいう。具体的には、画像選定部１０３によって解析された対象物が同一である画像情報と文字情報は対応関係を有するとして、データベース上で、対応情報によって紐づけられて管理される。また、対応情報は、画像情報と文字情報を結び付けて電子雑誌を作成できるよう紐づけておくものでもある。例えば、所定の画像情報と対応関係を有する文字情報は、該画像情報と同一箇所に表示される。
【００８１】
文字列抽出部１０５は、対応制御部１０４が制御した対応情報を用いて、主要画像に関する文字情報から文字列を抽出する（ＳＴＥＰ０１５）。これは、１ページに文字情報の全てを表示してしまうと、表示領域の小さい表示機器２０１上では、文字を確認できなくなる可能性があるためである。そのため、文字列抽出部１０５は、主要画像と併せて表示するように文字情報から、見出しとなる文字列を抽出する。
【００８２】
つぎに、背景画像記録部１０６が、背景画像を記録する（ＳＴＥＰ０１６）。背景画像は、電子雑誌の背景となるデータをいう。背景画像は、ページごとに、紙媒体の背景と類似するようにデザインされる。例えば、電子雑誌生成システム１００内にあらかじめ登録された背景画像から、最適な背景を決定し、後段の処理に渡すために保持するものとしてもよい。また、背景画像は、区分情報において背景として用いられていた画像から、背景画像記録部１０６が作成し、後段の処理に渡すために保持されるものとしてもよい。
【００８３】
そして、メインページ作成部１０７が、電子雑誌のメインページを作成する（ＳＴＥＰ０１７）。メインページ作成部１０７は、背景画像上に、主要画像と主要画像との対応情報を有する文字情報から抽出した文字列を配置してメインページを作成する。このとき、メインページ作成部１０７は、表示機器２０１の表示領域に応じて、主要画像のサイズおよび文字列のフォントサイズを最適化した上で、メインページを作成する。また、このときメインページ作成部１０７は、文字情報および文字列のフォントについてスタイル情報や色情報を適宜変換することも可能である。
【００８４】
メインページは、紙媒体の雑誌で主要な画像として扱われていた画像で構成されたページをいう。メインページには、主要画像と主要画像についての文字列が表示される。また、メインページ上の主要画像は詳細情報ページへと遷移するリンクを含むものとなっている。
【００８５】
図３は、メインページ作成部１０７が作成したメインページを表示機器２０１上で表示した様子を模式的に表した図である。図３の（Ａ）は、背景画像記録部１０６に記録された背景画像である。また、図３のａ１およびａ２は、対応関係を有する画像情報と文字情報である。作成部１１７は、背景画像上に対応情報に基づいて画像情報および文字情報を配置して図３（Ｂ）に示すような電子雑誌を作成する。図４は、メインページ作成部１０７が作成した電子雑誌の例を示している。
【００８６】
次に、詳細情報ページが詳細情報ページを作成する（ＳＴＥＰ０１８）。詳細情報ページ作成部１０８は、関連画像と関連画像との対応情報を有する文字情報によって詳細情報ページを作成する。詳細情報ページは、関連画像が表示されるページをいう。利用者はメインページの主要画像を選択することで詳細情報ページを表示させることができる。
【００８７】
図５（Ｂ）は、本実施形態で作成した電子雑誌を表示機器２０１上で表示した様子を模式的に表した図である。図５の（Ｂ）は、（Ａ）に示すメインページから、利用者が詳細を見たい主要画像をタッチすることで表示される。利用者が主要画像を表示機器２０１のディスプレイ上からタッチすると、該主要画像の関連画像および、文字情報の全文が表示される。
【００８８】
［第２の実施形態］
以下、本発明の第２の実施の形態を図６乃至図８を用いて説明する。
【００８９】
本実施形態における電子雑誌生成システム１００は、複数の雑誌を生成するための元情報それぞれを、テーマ単位で複数の区分情報として分割したものを記録する元情報分割記録部１０１と、区分情報の各ページに含まれる、画像情報および文字情報を、ページ単位で抽出する情報抽出部１０２と、画像情報および文字情報に含まれる対象物の情報を解析し、同一対象物を有する画像情報の集合である画像情報群の中から、少なくとも１以上の紙媒体の雑誌において主要な画像情報を主要画像として選定し、画像情報群に含まれる残りの画像情報を主要画像に対応する関連画像として選定する画像選定部１０３と、画像選定部１０３により解析された対象物の情報に基づいて、ページ単位で、対象物が同一である画像情報と文字情報とを関係するものとして対応付けた対応情報を制御する対応制御部１０４と、主要画像に対応する文字情報を対応情報に基づいて選択し、該選択された文字情報から見出し文字列を抽出する文字列抽出部１０５と、区分情報の背景を表す複数の背景画像を記録する背景画像記録部１０６と、表示機器２０１の表示領域に応じて、主要画像並びに関連画像の表示サイズ、および文字情報並びに文字列のフォントサイズをサイズ情報として制御し、背景画像上に、制御された対応情報に基づいて、主要画像と文字列を配置するメインページを作成する、メインページ作成部１０７と、メインページ上で利用者によって、主要画像が選択された際に、選択された主要画像の関連画像と、該関連画像との対応情報を有する文字情報を表示させるための詳細情報ページを作成する、詳細情報ページ作成部１０８とを備える。
【００９０】
また、電子雑誌生成システム１００は、さらに、外部サーバに記録された、抽出された画像情報もしくは文字情報に関係する対象物を示す第二の画像情報を対応情報に基づいて取得し、または、外部サーバに記録された、抽出された画像情報もしくは文字情報に関係する対象物を示す第二の文字情報を対応情報に基づいて取得する対象物情報取得部１１７を備え、対応制御部１０４は、第二の画像情報または第二の文字情報を取得した際に、対応情報の対応関係を、画像情報から第二の画像情報へと制御し、および／または、文字情報から第二の文字情報へと制御するものとしてもよい。
【００９１】
また、対象物情報取得部１１７は、文字情報に含まれる画像情報に関する情報を解析することで、問い合わせを行う外部サーバを決定し、更に、画像情報と類似する画像を解析することで、第二の画像情報または第二の文字情報の抽出するものとしてもよい。例えば、文字情報に含まれる、画像情報のブランド名を解析し、該ブランドを取り扱うＥＣサイトを特定し、問い合わせを行うものとしてもよい。その際、画像情報の特徴から、商品の候補画像を抽出するものとしてもよい。
【００９２】
また、電子雑誌生成システム１００は、更に、利用者の過去の電子雑誌の閲覧状況に関する情報から、利用者の趣向を分析する趣向分析部１１８と、趣向分析部１１８の分析結果に基づいて、利用者の趣向に合致する電子雑誌のページを推奨する推奨部１１９とを備えてもよい。
【００９３】
図６は、本実施形態における電子雑誌生成システム１００の処理の概要を示すチャートである。
【００９４】
電子雑誌生成システム１００は、複数の紙媒体の雑誌の電子データから、特集単位でバラ売りを行えるように、電子雑誌を生成する。生成した特集単位の電子雑誌は、ユーザの趣向に合わせてページ単位で推奨される。
【００９５】
電子雑誌を生成するシステムが、既存の雑誌から電子雑誌を生成する場合には、一般的に、元情報を用いる。元情報は、雑誌や写真集等の紙媒体を生成するための元となる電子データをいう。例えば、原稿となるテキストデータや写真などの画像データを指す。
【００９６】
紙媒体を作成するための画像データ等の元情報には、紙媒体として印刷用に加工する際に、印刷されない余白部分（非印刷領域）や対象物以外の領域（紙媒体に利用しない領域）を含んでいる場合がある。特に雑誌等の出版業界の場合、元情報（特に画像）を加工して利用することを前提としている。そのため、このような元情報をそのまま利用すると、余白部分や対象物以外の領域を含んだまま表示してしまうという問題がある。そのため、電子雑誌生成システム１００では、そのまま電子雑誌として表示するのが不適切な余白部分や対象物以外の領域を含む画像については、外部サーバ３０１、外部サーバ３０２または外部サーバ３０３に問い合わせて差し替え処理を行う。これにより、電子雑誌を生成する際に、不適切な背景を含まない画像を利用することが可能となる。
【００９７】
次に、図７を用いて電子雑誌生成システム１００の各構成要素の機能について説明する。図７は本実施形態における電子雑誌生成システム１００並びに外部サーバ３０１、外部サーバ３０２および外部サーバ３０３のブロック図を示している。
【００９８】
本実施形態において電子雑誌生成システム１００は、元情報分割記録部１０１と、情報抽出部１０２と、画像選定部１０３と、対応制御部１０４と、文字列抽出部１０５と、背景画像記録部１０６と、メインページ作成部１０７と、詳細情報ページ作成部１０８と、対象物情報取得部１１７と、趣向分析部１１８と、推奨部１１９とを備えている。また、電子雑誌生成システム１００は有線または無線のネットワーク８００を介してＥＣサイト３００と接続している。ＥＣサイト３００には、外部サーバ３０１、外部サーバ３０２および外部サーバ３０３が含まれている。
【００９９】
対象物情報取得部１１７は、外部サーバ３０１、外部サーバ３０２または外部サーバ３０３から対象物に関する情報を取得する。第二の画像情報および第二の文字情報を外部サーバ３０１、外部サーバ３０２または外部サーバ３０３から取得するものとしてもよい。
【０１００】
また、対象物情報取得部１１７は、文字情報に含まれる画像情報に関する情報を解析することで、問い合わせを行う外部サーバ３０１、外部サーバ３０２または外部サーバ３０３を決定し、更に、画像情報と類似する画像を解析することで、第二の画像情報または第二の文字情報の抽出するものとしてもよい。例えば、文字情報に含まれる、画像情報のブランド名を解析し、該ブランドを取り扱うＥＣサイト３００を特定し、問い合わせを行うものとしてもよい。その際、画像情報の特徴から、商品の候補画像を抽出するものとしてもよい。
【０１０１】
外部サーバ３０１、外部サーバ３０２または外部サーバ３０３は、電子雑誌生成システム１００に含まれない装置をいう。本実施形態において、外部サーバ３０１、外部サーバ３０２または外部サーバ３０３は、ネット通販等のＥＣサイトに含まれるものである。外部サーバ３０１、外部サーバ３０２または外部サーバ３０３上には、ＥＣサイト３００の商品に関する画像情報が記録されている。
【０１０２】
第二の画像情報は、画像情報と同一の対象物に関する画像をいう。画像情報は、商品等の対象物が販売促進用に写された画像をいってもよい。本実施形態においては、販売促進用に対象物が映えるように背景等が考慮された画像をいう。
【０１０３】
第二の文字情報は、文字情報と同一の対象物に関する文字情報をいう。本実施形態においては、第二の文字情報は、商品等の対象物を販売促進用に説明した広告文をいう。
【０１０４】
対応情報は、画像の情報と文字の情報との対応関係を示すものをいう。対応情報を有する画像情報（または第二の画像情報）と文字情報（または第二の文字情報）を結び付けて電子雑誌を作成できるよう紐づけるものとしてもよい。具体的には、所定の画像情報と対応関係を有する文字情報は、該画像情報と同一箇所に表示する。
【０１０５】
対応制御部１０４は、対応情報を書き換えて制御する。対応制御部１０４は、対象物情報取得部１１７が第二の画像情報または第二の文字情報を取得した際に、対応情報を書き換えることも可能である。具体的に、対象物Ａについての画像情報Ａと文字情報Ａが対応関係を有していた場合を例に説明する。対応制御部１０４は、対象物Ａについて、第二の画像情報Ａを外部サーバ３０１、外部サーバ３０２または外部サーバ３０３から取得した際に、第二の画像情報Ａと文字情報Ａとが対応関係をもつように対応情報を書き換えて制御する。
【０１０６】
趣向分析部１１８は、利用者の趣向を分析する。また、趣向分析部１１８は、利用者の過去の電子雑誌の閲覧時間、閲覧回数および購入履歴のうち少なくともいずれか１つを閲覧状況として分析してもよい。具体的には、利用者が閲覧したブログやＷｅｂサイト、他の電子雑誌の閲覧状況を分析し、閲覧状況に応じて電子雑誌にスコアを付ける。例えば、閲覧時間が長い電子雑誌や閲覧回数が多い電子雑誌には高いスコアを付け、一方で、閲覧時間が短い電子雑誌や閲覧回数が少ない電子雑誌には低いスコアを付ける。また、ＥＣサイト３００での利用者の商品の購入履歴からスコアを付与するものとしてもよい。この場合、閲覧時間によって付与されるスコアよりも高いスコアが付与されるものとしてもよい。
【０１０７】
推奨部１１９は、趣向分析部１１８の分析結果に基づいて、電子雑誌を利用者に対して推奨する。他の電子雑誌についての閲覧状況の分析結果から、類似の電子雑誌を推奨するものとしてもよい。例えば、利用者が２０代向けの女性ファッション誌に関する電子雑誌Ａをよく購読している場合、推奨部１１９は、同世代向けの他の女性誌であって、電子雑誌Ａと同一ブランドを扱っている電子雑誌Ｂを推奨する。
【０１０８】
次に、本実施形態における外部サーバとの連携の処理フローを、図８を用いて説明する。
【０１０９】
まず、対象物情報取得部１１７は、画像選定部１０３から解析した結果を受け付ける（ＳＴＥＰ１１１）。この解析結果は、文字情報の対象物を解析した結果である。具体的には、文字情報に含まれる商品名、ブランド名、モデル名等またはそれらの略称等を解析した結果を受け付ける。この解析は、電子雑誌生成システム１００が行うものとしても、利用者が行うものとしてもよい。
【０１１０】
次に、この解析結果に基づいて、対象物情報取得部１１７は、外部サーバに問い合わせを行う（ＳＴＥＰ１１２）。このとき、対象物情報取得部１１７は、対応情報を用いて解析結果を受け付けた文字情報に対応する画像情報の第二の画像を取得するために外部サーバに問い合わせを行う。例えば、文字情報１と画像情報１とが対応関係を有しており、文字情報１の対象物がブランドＡの略称やブランドＡの商品名であった場合を例に説明する。外部サーバ３０１は、ブランドＡを、外部サーバ３０２はブランドＢ、外部サーバ３０３はブランドＣをそれぞれ取り扱うＥＣサイトであるとする。このとき、対象物情報取得部１１７は、外部サーバ３０１へと問い合わせを行い、外部サーバ３０１から、画像情報１についての第二の対象物画像を取得する（ＳＴＥＰ１１３）。
【０１１１】
対応制御部１０４が、文字情報１と画像情報１との対応情報を、文字情報１と第二の画像情報への対応関係へと制御する（ＳＴＥＰ１１４）。
【０１１２】
ここで、対象物情報取得部１１７の処理について、図９を用いて詳細に説明する。図９は、第１の実施形態における対象物情報取得部１１７の処理フローを表す図である。
【０１１３】
ここでは、文字情報Ａと対応関係を有する画像情報１の第二の画像情報１を取得する処理について説明する。まず、対象物情報取得部１１７は、文字情報Ａに含まれるブランド名を解析する（ＳＴＥＰ２１１）。例えば、解析したブランド名の商品が、本システムと連携するＥＣサイト３００のうち、外部サーバ３０１で取り扱われているとする。この場合、対象物情報取得部１１７は、外部サーバ３０１、外部サーバ３０２および外部サーバ３０３のうち、外部サーバ３０１を選択し、問い合わせを行う（ＳＴＥＰ２１２）。さらに対象物情報取得部１１７は、対応情報に基づいて、文字情報Ａと対応関係を有する画像情報１の特徴を解析（ＳＴＥＰ２１３）し、外部サーバ３０１から第二の画像情報の候補画像を抽出する（ＳＴＥＰ２１４）。抽出された候補画像から、ＥＣサイト３００の管理者が、第二の画像情報１を選択し、該選択された第二の画像情報１を対象物情報取得部１１７が取得する（ＳＴＥＰ２１５）。このとき、外部サーバ３０１上で、第二の画像情報１と紐づけられた第二の文字情報Ａを併せて取得することも可能である。この場合、対応制御部１０４は、画像情報１と文字情報Ａとの対応情報を、第二の画像情報１と第二の文字情報Ａへの対応関係へと制御する。
【０１１４】
次に、趣向分析部１１８および推奨部１１９の処理フローについて図１０を用いて説明する。図１０は、本実施形態における推奨処理のフローを示すフローチャートである。
【０１１５】
趣向分析部１１８は、利用者のこれまでの電子雑誌の購入履歴やブログ、ホームページ等の閲覧状況から、利用者の趣向の分析を行う（ＳＴＥＰ３１１）。具体的には、ブログやホームページに掲載されている商品やブランド、モデルごとに閲覧状況に応じてスコアを配布する。例えば、利用者が、ブランドＡに関する記事が記載されているブログおよびホームページを３日間に合計５時間閲覧した場合、ブランドＡに１５点加点するものとしてもよい。このとき、ブランドＡにつての特集が記載された他の電子雑誌のページにも加点がされ、所定の閾値を超過した場合、該ページが推奨部１１９によって推奨される（ＳＴＥＰ３１２）。
【０１１６】
その他の機能、構成については第１の実施形態と同様である。
【０１１７】
［第３の実施形態］
以下、本発明の第３の実施の形態を図１１または図１２を用いて説明する。
【０１１８】
本実施形態における電子雑誌生成システム１００は、複数の雑誌を生成するための元情報それぞれを、テーマ単位で複数の区分情報として分割したものを記録する元情報分割記録部１０１と、区分情報の各ページに含まれる、画像情報および文字情報を、ページ単位で抽出する情報抽出部１０２と、画像情報および文字情報に含まれる対象物の情報を解析し、同一対象物を有する画像情報の集合である画像情報群の中から、少なくとも１以上の紙媒体の雑誌において主要な画像情報を主要画像として選定し、画像情報群に含まれる残りの画像情報を主要画像に対応する関連画像として選定する画像選定部１０３と、画像選定部１０３により解析された対象物の情報に基づいて、ページ単位で、対象物が同一である画像情報と文字情報とを関係するものとして対応付けた対応情報を制御する対応制御部１０４と、主要画像に対応する文字情報を対応情報に基づいて選択し、該選択された文字情報から見出し文字列を抽出する文字列抽出部１０５と、区分情報の背景を表す複数の背景画像を記録する背景画像記録部１０６と、表示機器２０１の表示領域に応じて、主要画像並びに関連画像の表示サイズ、および文字情報並びに文字列のフォントサイズをサイズ情報として制御し、背景画像上に、制御された対応情報に基づいて、主要画像と文字列を配置するメインページを作成する、メインページ作成部１０７と、メインページ上で利用者によって、主要画像が選択された際に、選択された主要画像の関連画像と、該関連画像との対応情報を有する文字情報を表示させるための詳細情報ページを作成する、詳細情報ページ作成部１０８とを備える。
【０１１９】
また、電子雑誌生成システム１００、更に、所定のルールで、画像情報  に関する広告を示す広告情報を挿入する広告挿入部１２０を備えてもよい。
【０１２０】
電子雑誌生成システム１００の各構成要素の機能について図１１を用いて説明する。図１１は本実施形態における電子雑誌生成システム１００および外部サーバ３０１のブロック図を示している。
【０１２１】
本実施形態において電子雑誌生成システム１００は、元情報分割記録部１０１と、情報抽出部１０２と、画像選定部１０３と、対応制御部１０４と、文字列抽出部１０５と、背景画像記録部１０６と、メインページ作成部１０７と、詳細情報ページ作成部１０８と、広告挿入部１２０とを備えている。また、電子雑誌生成システム１００は有線または無線のネットワーク８００を介してＥＣサイト３００および外部サーバ４０１と接続している。ＥＣサイト３００には、外部サーバ３０１が含まれている。
【０１２２】
外部サーバ４０１は、出版社や新聞社が保有しているサーバである。外部サーバ４０１上には、元情報がＥＰＵＢ（Electronic Publication）等の形式で記録されている。元情報分割記録部１０１は、外部サーバ４０１から元情報を受信し、区分情報単位で記録する。
【０１２３】
広告挿入部１２０が、電子雑誌に広告情報を挿入する。具体的には、広告挿入部１２０は、ＥＣサイト３００上に保存されている、商品の販売促進用の画像を広告情報として受け付け、挿入する。広告情報は画像情報または第二の画像情報に関するものであってもよい。広告挿入部１２０は、所定のルールで、広告情報を電子雑誌に挿入する。本実施形態において、広告挿入部１２０は、画像情報または第二の画像情報に記されている対象物と同一商品に関する広告を挿入する。
【０１２４】
本実施形態における広告挿入部１２０の処理フローについて、図１２を用いて説明する。広告挿入部１２０は、画像情報または第二の画像情報から挿入する広告情報を特定する（ＳＴＥＰ４１１）。このとき挿入される広告情報は画像情報または第二の画像情報に関するものとしてもよい。例えば、画像情報の対象物がブランドＡのバッグであった場合、ブランドＡの関連商品に関する広告情報や、他のブランドのバッグに関する広告情報が挿入されるものとしてもよい。広告挿入部１２０は、特定した広告情報を、所定のページ単位で挿入する（ＳＴＥＰ４１２）。広告情報に関連する画像情報等の掲載されるページの直前または直後に挿入されるものとしてもよい。これにより、利用者は、自分が購入したテーマの電子雑誌に関連する広告情報を閲覧することになるため、広告効果を高めることが可能になる。
【０１２５】
その他の機能、構成については第１の実施形態と同様である。
【０１２６】
以上、本発明の実施形態について述べたが、本発明は既述の実施形態に限定されるものではなく、本発明の技術的思想に基づいて各種の変形および変更が可能である。例えば、本発明の第１乃至第３の実施例において、電子雑誌生成システム１００は紙媒体の雑誌を電子雑誌へと変換する。しかし、本発明の処理対象は、雑誌に限定されるものでなく、定期刊行物や、写真集等の紙で生成された出版物から電子文書を生成するものとしてもよい。
【０１２７】
電子雑誌生成システム１００は、複数の雑誌を生成するための元情報それぞれを、テーマ単位で複数の区分情報として分割したものを記録する元情報分割記録部１０１と、表示機器２０１の表示領域に応じて、主要画像並びに関連画像の表示サイズ、および文字情報並びに文字列のフォントサイズをサイズ情報として制御し、背景画像上に、制御された対応情報に基づいて、主要画像と文字列を配置するメインページを作成する、メインページ作成部１０７と、メインページ上で利用者によって、主要画像が選択された際に、選択された主要画像の関連画像と、該関連画像との対応情報を有する文字情報を表示させるための詳細情報ページを作成する、詳細情報ページ作成部１０８とを備える際には、サイズが異なる画像や写真、イラストを多用している雑誌を、表示領域の少ない携帯端末やデジタル家庭電化製品のような表示機器２０１のディスプレイ上で閲覧した場合であっても、視認性・操作性を確保した電子雑誌を生成することが可能となり、また、紙媒体の雑誌をテーマ単位で編集し電子雑誌を生成することが可能となる。
【０１２８】
また、電子雑誌生成システム１００は、さらに、外部サーバに記録された、抽出された画像情報もしくは文字情報に関係する対象物を示す第二の画像情報を対応情報に基づいて取得し、または、外部サーバに記録された、抽出された画像情報もしくは文字情報に関係する対象物を示す第二の文字情報を対応情報に基づいて取得する対象物情報取得部１１７を備え、対応制御部１０４は、第二の画像情報または第二の文字情報を取得した際に、対応情報の対応関係を、画像情報から第二の画像情報へと制御し、および／または、文字情報から第二の文字情報へと制御するものである際においては、元情報に含まれる画像情報が余白部分や対象物以外の領域を含んでいる際には、外部サーバから余白部分や対象物以外の領域を含まない画像情報を取得して、差し替えて表示することが可能となり、また、元情報に含まれる文字情報を、外部サーバから取得するよりも販売促進効果の高い文字情報へ差し替えることが可能となる。
【０１２９】
また、電子雑誌生成システム１００が、更に、所定のルールで、画像情報または第二の画像情報に関する広告を示す広告情報を挿入する広告挿入部１２０を備える際においては、利用者の関心が高い広告情報を挿入することができ、広告の効果を高めることが可能となる。
【０１３０】
また、電子雑誌生成システム１００は、更に、区分情報の単位で利用者からの課金を受け付ける課金受付部１０９を備える際においては、区分情報単位で、利用者からの電子雑誌の購入を受け付けることが可能となる。
【０１３１】
また、電子雑誌生成システム１００が、更に、利用者の過去の電子雑誌の閲覧状況に関する情報から、利用者の趣向を分析する趣向分析部１１８と、趣向分析部１１８の分析結果に基づいて、利用者の趣向に合致する電子雑誌のページを推奨する推奨部１１９とを備える際においては、利用者の電子雑誌の閲覧状況から、趣向にあった電子雑誌をページ単位で推奨することが可能となる。
【０１３２】
また、趣向分析部１１８が、利用者の過去の電子雑誌の閲覧時間、閲覧回数および購入履歴のうち少なくともいずれか１つを閲覧状況に関する情報として分析するものである際においては、閲覧時間、閲覧回数および購入履歴に基づいて、利用者の趣向を分析することが可能となる。
【０１３３】
また、対象物情報取得部１１７が、文字情報に含まれる画像情報に関する情報を解析することで、問い合わせを行う外部サーバを決定し、更に、画像情報と類似する画像を解析することで、第二の画像情報または第二の文字情報の候補を抽出する際においては、例えば、文字情報に含まれる、画像情報のブランド名等の名称を解析し、該ブランドを取り扱う外部サーバ（例えばＥＣサイト等）を特定し、問い合わせを行うことが可能となり、画像情報の特徴から、商品の候補画像を抽出することが可能となる。
【符号の説明】
【０１３４】
１００            電子雑誌生成システム
１０１            元情報分割記録部
１０２            情報抽出部
１０３            画像選定部
１０４            対応制御部
１０５            文字列抽出部
１０６            背景画像記録部
１０７            メインページ作成部
１０８            詳細情報ページ作成部
１０９            課金受付部
１１７            対象物情報取得部
１１８            趣向分析部
１１９            推奨部
１２０            広告挿入部
２０１            表示機器
３００            ＥＣサイト
３０１            外部サーバ
３０２            外部サーバ
３０３            外部サーバ
４０１            外部サーバ
８００            ネットワーク
【図１】
2014157401.tif 000003
【図２】
2014157401.tif 000004
【図３】
2014157401.tif 000005
【図４】
2014157401.tif 000006
【図５】
2014157401.tif 000007
【図６】
2014157401.tif 000008
【図７】
2014157401.tif 000009
【図８】
2014157401.tif 000010
【図９】
2014157401.tif 000011
【図１０】
2014157401.tif 000012
【図１１】
2014157401.tif 000013
【図１２】
2014157401.tif 000014